(57)【要約】【課題】  操作部の操作に対応した表示データを完全な状態でリアルタイムに表示できるディスク情報表示装置を提供する。【解決手段】  ディスク２０に記録されている情報を取得するディスク情報取得装置２と、操作に応答してディスク２０に記録されている表示データの表示要求を発生する操作部１０と、操作部１０の操作によって表示要求が連続的に発生された場合に、先の表示要求に対する表示データをディスク情報取得装置２から取得している間に発生された表示要求のうちの最後の表示要求に対応する表示データをディスク情報取得装置２から取得する制御部１４と、制御部１４で取得された表示データを先の表示要求に対する表示データが表示された後に表示する情報表示機器１６とを備えている。【選択図】        図１
2005339693.tif 000002
【特許請求の範囲】
【請求項１】
ディスクに記録されている情報を取得するディスク情報取得手段と、
操作に応答して前記ディスクに記録されている表示データの表示要求を発生する操作部と、
前記操作部の操作によって表示要求が連続的に発生された場合に、先の表示要求に対する表示データを前記ディスク情報取得手段から取得している間に発生された表示要求のうちの最後の表示要求に対応する表示データを前記ディスク情報取得装置から取得する制御部と、
前記制御部で取得された表示データを先の表示要求に対する表示データが表示された後に表示する表示手段
とを備えたディスク情報表示装置。
【請求項２】
制御部は、表示要求信号記憶部と総合制御部とを備え、
前記表示要求信号記憶部は、
操作部の操作により発生された表示要求の数を表示要求カウント数として蓄積し、前記総合制御部からの確認要求に応答して、該蓄積している表示要求カウント数を前記総合制御部に送り、
前記総合制御部は、
確認要求を前記表示要求信号記憶部に送り、該確認要求に応答して前記表示要求信号記憶部から送られてくる表示要求カウント数が「１」以上であれば、先の表示要求から前記表示要求カウント数だけ後ろの表示データの取得を要求する表示データ取得要求をディスク情報取得装置に送り、該表示データ取得要求に応答して前記ディスク情報取得手段から送られてくるデータを表示手段に送る
ことを特徴とする請求項１記載のディスク情報表示装置。
【請求項３】
表示データは、複数の項目を表す複数のデータから構成されていることを特徴とする請求項１または請求項２記載のディスク情報表示装置。
【発明の詳細な説明】
【技術分野】
【０００１】
この発明は、ユーザの操作に応答してディスクに記憶されているデータに基づく表示を行うディスク情報表示装置に関する。
【背景技術】
【０００２】
従来、操作部を操作することによって発生される表示要求に応答してディスク情報取得装置（ディスク情報取得手段）に対し表示データの取得を要求し、この要求に応答してディスク情報取得装置から送られてくる表示データに基づく表示を行うディスク情報表示装置が知られている。このようなディスク情報表示装置の１つとして、特許文献１は、デジタルオーディオ媒体に記録されている複数の曲の中から所望の曲を曲名によりサーチするデジタルオーディオ装置を開示している。
【０００３】
このデジタルオーディオ装置は、デジタルオーディオ媒体から読み取られた全曲名を曲番に対応させて記憶する記憶手段と、１つの曲番の曲名を表示する表示部と、デジタルオーディオ媒体に記録されている曲名を順次１個ずつ表示手段に表示させる操作手段と、表示手段に表示されている曲名の曲の演奏を指示するプレイキーと、操作手段により曲名表示が要求された時、記憶手段より曲名を読み取って表示部に表示し、曲名表示中にプレイキーが操作された時、表示手段に表示されている曲名の曲をサーチして演奏する制御部を備えている。
【０００４】
【特許文献１】特開平５−３２５５０４号公報
【発明の開示】
【発明が解決しようとする課題】
【０００５】
ところで、上述した特許文献１に開示されたデジタルオーディオ装置のようなディスク情報表示装置においては、操作部が操作されることによって連続的に発生される表示要求の時間間隔が、表示要求に応答してディスク情報取得装置から表示データを受け取ってディスプレイに表示するといった表示処理に要する時間より大きい場合は、ディスク情報表示装置は、その表示要求に係る表示データをリアルタイムで且つ完全な状態でディスプレイに表示することができる。
【０００６】
しかしながら、操作部が操作されることによって連続的に発生される表示要求の時間間隔が、上述した表示処理に要する時間より小さい場合は、ディスク情報表示装置は、その表示要求に係る表示データをリアルタイムで且つ完全な状態でディスプレイに表示することができない場合がある。
【０００７】
例えば、１つの表示要求に応答して表示処理を実行している途中で次の表示要求が発生した場合、従来のディスク情報表示装置では、後の表示要求に応答して表示処理を開始するので、先の表示要求に係る表示データは不完全な状態でディスプレイに表示されるという問題がある。
【０００８】
このような不都合を回避するために、従来の他のディスク情報表示装置は、１つの表示要求に応答して表示処理を実行している途中で次の表示要求が発生した場合、先の表示要求に係る表示処理が完了するまで、次の表示要求に係る表示処理の開始を待たせる。このディスク情報表示装置によれば、不完全な状態の表示データがディスプレイに表示されるという問題は解消されるが、操作部の操作に対応した表示データが表示されるまでに時間がかかるのでリアルタイム性が損なわれ、操作部の操作に対する表示の追従性が悪いという問題がある。
【０００９】
この発明は、上述した問題を解消するためになされたものであり、操作部の操作に対応した表示データを完全な状態でリアルタイムに表示できるディスク情報表示装置を提供することを目的とする。
【課題を解決するための手段】
【００１０】
この発明に係るディスク情報表示装置は、ディスクに記録されている情報を取得するディスク情報取得装置と、操作に応答してディスクに記録されている表示データの表示要求を発生する操作部と、操作部の操作によって表示要求が連続的に発生された場合に、先の表示要求に対する表示データをディスク情報取得装置から取得している間に発生された表示要求のうちの最後の表示要求に対応する表示データをディスク情報取得装置から取得する制御部と、制御部で取得された表示データを先の表示要求に対する表示データが表示された後に表示する情報表示機器（表示手段）とを備えているものである。
【発明の効果】
【００１１】
この発明によれば、操作部の操作によって表示要求が連続的に発生された場合に、先の表示要求に対する表示データをディスク情報取得装置から取得している間に発生された表示要求のうちの最後の表示要求に対応する表示データをディスク情報取得装置から取得し、先の表示要求に対する表示データが表示された後に表示するので、表示データを完全な状態で、しかも、リアルタイムで表示させることができる。
【発明を実施するための最良の形態】
【００１２】
以下、この発明の実施の形態を、図面を参照しながら詳細に説明する。
実施の形態１．
図１は、この発明の実施の形態１に係るディスク情報表示装置の構成を示すブロック図である。このディスク情報表示装置は、大きく分けると、操作・表示装置１、ディスク情報取得装置２、スピーカ３およびリモートコントローラ（以下、「リモコン」と略する）４から構成されている。
【００１３】
操作・表示装置１は、操作部１０、システムコントローラ１４、送受信部１５、情報表示機器１６およびオーディオ出力部１８から構成されている。
【００１４】
操作部１０は、ユーザがディスク情報表示装置を制御するために使用される。この操作部１０は、ノブ１１、キー１２およびリモコン受光部１３を備えている。これらノブ１１、キー１２およびリモコン受光部１３は、ディスク情報表示装置が有する種々の機能を実現するために使用されるが、以下では、この発明に直接に関係する表示要求信号を発生する機能を中心に説明する。
【００１５】
ノブ１１は、図示矢印方向に回転させると所定角度間隔でクリック感を発生させる機構（図示は省略する）を備えている。操作部１０は、ノブ１１が回転されてクリック感が発生される位置に至る毎に表示要求信号を発生する。キー１２は、例えばプッシュスイッチから構成されている。操作部１０は、このキー１２が押される毎に表示要求信号を発生する。リモコン受光部１３は、リモコン４からの赤外線を受光する。操作部１０は、リモコン４からの赤外線がリモコン受光部１３で受光される毎に表示要求信号を発生する。この操作部１０で発生された表示要求信号はシステムコントローラ１４に送られる。
【００１６】
また、操作部１０は、ノブ１１、キー１２またはリモコン４が操作されることによって、後述するディスプレイ１７に表示された複数の表示データ（例えば曲名データ）の中から１つが選択されることにより、その選択された表示データに対応するデータ（例えば曲データ）の再生要求信号を発生する。この操作部１０で発生された再生要求信号はシステムコントローラ１４に送られる。
【００１７】
システムコントローラ１４は、この発明の制御部に対応する。システムコントローラ１４は、例えばマイクロコンピュータから構成されており、このディスク情報表示装置の全体を制御する。例えば、システムコントローラ１４は、操作部１０から送られてくる表示要求信号に応答して表示データ要求信号を生成し、送受信部１５を介してディスク情報取得装置２に送る。また、この表示データ要求信号に応答してディスク情報取得装置２から送受信部１５を介して送られてくる表示データ（例えば曲名データ）を情報表示機器１６に送る。
【００１８】
また、システムコントローラ１４は、操作部１０から送られてくる再生要求信号に応答して再生データ要求信号を生成し、送受信部１５を介してディスク情報取得装置２に送る。さらに、この再生データ要求信号に応答してディスク情報取得装置２から送受信部１５を介して送られてくるオーディオデータを情報表示機器１６に送る。このシステムコントローラ１４の詳細な構成および動作は後述する。
【００１９】
送受信部１５は、システムコントローラ１４とディスク情報取得装置２との間のデータの送受を制御する。即ち、システムコントローラ１４から送られてくる表示データ要求信号または再生データ要求信号をディスク情報取得装置２に送るとともに、表示データ要求信号に応答してディスク情報取得装置２から送られてくる表示データ、または再生データ要求信号に応答してディスク情報取得装置２から送られてくるオーディオデータをシステムコントローラ１４に送る。
【００２０】
情報表示機器１６は、例えばＬＣＤ（Liquid Crystal Display）から構成されたディスプレイ１７を備えている。情報表示機器１６は、システムコントローラ１４から送られてくる表示データをディスプレイ１７に表示させる。ディスプレイ１７には、例えば５個の表示データ１、２、・・・、５が連続して表示される。
【００２１】
オーディオ出力部１８は、ディスク情報読取装置２から送受信部１５およびシステムコントローラ１４を経由して送られてくるオーディオデータに基づいてアナログのオーディオ信号を生成する。このオーディオ出力部１８で生成されたオーディオ信号は、スピーカ３に送られる。スピーカ３は、オーディオ出力部１８から送られてくるオーディオ信号に基づき例えば楽音を発生させる。
【００２２】
ディスク情報取得装置２は、ディスク２０、信号処理部２１およびサーボ制御部２２から構成されている。
【００２３】
ディスク２０は、例えば複数の曲の曲名を表す曲名データおよび各曲に対応する曲データを記憶している。このディスク２０から読み出された曲名データおよび曲データは、信号処理部２１に送られる。
【００２４】
信号処理部２１は、操作・表示装置１の送受信部１５から送られてくる表示データ要求信号または再生データ要求信号に応答してサーボ制御部２２に駆動信号を送る。また、信号処理部２１は、ディスク２０から読み出された曲名データおよび曲データに所定の信号処理を施し、表示データおよびオーディオデータを生成する。この信号処理部２１で生成された表示データは、送受信部１５およびシステムコントローラ１４を介して情報表示機器１６に送られ、オーディオデータは、送受信部１５およびシステムコントローラ１４を介してオーディオ出力部１８に送られる。
【００２５】
サーボ制御部２２は、信号処理部２１から送られてくる駆動信号に基づいて、該駆動信号で指示されたディスク２０の位置にピックアップ（図示しない）を移動させる。これにより、ディスク２０から曲名データまたは曲データが読み出されて信号処理部２１に送られる。曲名データおよび曲データは、上述したように、信号処理部２１で信号処理が施された後に、表示データおよびオーディオデータとして送受信部１５に送られる。
【００２６】
次に、操作・表示装置１に含まれるシステムコントローラ１４の詳細な構成を説明する。
【００２７】
図２は、システムコントローラ１４の機能的な構成を示すブロック図である。システムコントローラ１４は、表示要求信号記憶部４１、総合制御部４２、表示データ要求部４３、表示データ受信部４４および表示データ制御部４５から構成されている。
【００２８】
表示要求信号記憶部４１は、操作部１０から送られてくる表示要求信号をカウントして表示要求カウント数として記憶する。また、表示要求信号記憶部４１は、総合制御部４２から送られてくる表示要求信号の確認要求に応答して、記憶している表示要求カウント数を総合制御部４２に送る。
【００２９】
総合制御部４２は、システムコントローラ１４の全体を制御する。この総合制御部４２は、表示要求信号の確認要求を表示要求信号記憶部４１に送り、この確認要求に応答して表示要求信号記憶部４１から送られてくる表示要求カウント数を受け取る。そして、受け取った表示要求カウント数が「１」以上であれば、表示データ要求部４３に対して表示データ取得要求を送る。この表示データ取得要求に応答して、ディスク情報取得装置２から送受信部１５および表示データ受信部４４を介して送られてくる受信表示データを受け取り、表示データ制御部４５に送る。このシステムコントローラ１４の詳細な動作は、後に図４に示すフローチャートを参照しながら説明する。
【００３０】
表示データ要求部４３は、総合制御部４２から送られてくる表示データ取得要求に応答して表示データ要求信号を生成し、送受信部１５を介してディスク情報取得装置２に送る。表示データ受信部４４は、ディスク情報取得装置２から送受信部１５を介して送られてくる表示データを受け取り、受信表示データとして総合制御部４２に送る。表示データ制御部４５は、総合制御部４２から送られてくる受信表示データを、ディスプレイ１７に表示可能な形式の表示データに変換し、情報表示機器１６に送る。
【００３１】
次に、上記のように構成される、この発明の実施の形態１に係るディスク情報表示装置の動作を、図３および図４に示すフローチャートを参照しながら説明する。
【００３２】
まず、表示要求信号記憶部４１の動作を、図３に示すフローチャートを参照しながら説明する。ディスク情報表示装置の動作が開始されると、表示要求信号記憶部４１では、まず、表示要求カウント数がクリアされる（ステップＳＴ１０）。表示要求カウント数は、操作部１０から送られてくる表示要求信号の数であり、図示しないカウンタでカウントされる。
【００３３】
次いで、操作部１０から送られてきた表示要求信号があるかどうかが調べられる（ステップＳＴ１１）。ここで、表示要求信号がないことが判断されると、シーケンスはステップＳＴ１３に進む。一方、表示要求信号があることが判断されると、表示要求カウント数がインクリメント（＋１）される（ステップＳＴ１２）。その後、シーケンスはステップＳＴ１３に進む。
【００３４】
ステップＳＴ１３では、総合制御部４２から表示要求信号の確認要求があるかどうかが調べられる（ステップＳＴ１３）。ここで、表示要求信号の確認要求があることが判断されると、表示要求カウント数が総合制御部４２に送られる（ステップＳＴ１４）。次いで、表示要求カウント数がクリアされる（ステップＳＴ１５）。その後、シーケンスはステップＳＴ１１に戻り上述した動作が繰り返される。上記ステップＳＴ１３で、表示要求信号の確認がなされていないことが判断されると、シーケンスはステップＳＴ１１に戻り、上述した動作が繰り返される。
【００３５】
以上の処理により、表示要求信号記憶部４１の機能、つまり、操作部１０から送られてくる表示要求信号をカウントして表示要求カウント数として記憶するとともに、総合制御部４２から送られてくる表示要求信号の確認要求に応答して、記憶している表示要求カウント数を総合制御部４２に送り、その後、表示要求カウント数をクリアする機能が実現されている。
【００３６】
次に、総合制御部４２の動作を、図４に示すフローチャートを参照しながら説明する。総合制御部４２では、まず、表示データ受信部４４からの受信表示データ待ちであるかどうかが調べられる（ステップＳＴ２０）。ここで、受信表示データ待ちであることが判断されると、次いで、表示データ受信部４４から受信表示データが送られてきているかどうかが調べられる（ステップＳＴ２１）。ここで、受信表示データが送られてきていないことが判断されると、シーケンスはステップＳＴ２０に戻る。
【００３７】
一方、ステップＳＴ２１において、表示データ受信部４４から受信表示データが送られてきていることが判断されると、表示データ受信部４４からの受信表示データ待ちが解除される（ステップＳＴ２２）。従って、次回のステップＳＴ２０の実行では「ＮＯ」と判断されることになる。次いで、表示データ制御部４５に受信表示データが送られる（ステップＳＴ２３）。その後、シーケンスはステップＳＴ２０に戻り、上述した動作が繰り返される。
【００３８】
上記ステップＳＴ２０において、受信表示データ待ちでないことが判断されると、次いで、表示要求信号記憶部４１に対して、表示要求信号の確認要求が送られる（ステップＳＴ２４）。次いで、この確認要求に対して表示要求信号記憶部４１から送られてくる表示要求カウント数がゼロであるかどうかが調べられる（ステップＳＴ２５）。ここで、表示要求カウント数がゼロであることが判断されると、操作部１０からの表示要求信号は蓄積されていないものと認識され、シーケンスはステップＳＴ２０に戻る。この場合、ディスプレイ１７に表示される表示データは更新されない。
【００３９】
上記ステップＳＴ２０→ＳＴ２４→ＳＴ２５→ＳＴ２０→・・・の繰り返し実行の過程において、ステップＳＴ２５で、表示要求カウント数がゼロでないことが判断されると、操作部１０からの表示要求信号が少なくとも１つ蓄積されているものと認識され、表示データ要求部４３に対して、最終の表示データ取得要求が出される（ステップＳＴ２６）。ここで、最終の表示データ取得要求とは、表示要求カウント数が「２」以上である場合に、最後にカウントアップされた表示要求信号に対応する表示データの取得要求である。
【００４０】
次いで、表示データ受信部４４からの受信表示データ待ちに設定される（ステップＳＴ２７）。従って、次回のステップＳＴ２０の実行では「ＹＥＳ」と判断されることになる。その後、シーケンスはステップＳＴ２０に戻り、上述した動作が繰り返される。
【００４１】
次に、この発明の理解をさらに深めるために、この発明の実施の形態１に係るディスク情報表示装置の動作を、図５に示すタイミングチャートを参照して、従来のディスク情報表示装置と比較しながら説明する。
【００４２】
なお、以下では、操作部１０のノブ１１が操作されることにより表示要求信号が発生されるものとし、また、説明を簡単にするために、ディスプレイ１７には２個の表示データが表示されるものとする。さらに、操作・表示装置１がディスク情報取得装置２に対して表示データ要求信号を送ってから表示データが得られるまでに１００ｍｓｅｃの時間を要するものとする。
【００４３】
まず、従来のディスク情報表示装置の動作を説明する。初期状態では、図５（ｃ）に示すように、ディスプレイ１７には表示データ１と表示データ２とが表示されているものとする。この初期状態（時刻ｔ１）からノブ１１が高速で回されて、図５（ｂ）に示すように４００ｍｓｅｃ後（時刻ｔ５）に停止されると仮定すると、図５（ａ）に示すように、ノブイベント１〜１２が連続的に発生する。そして、各ノブイベントに対応して表示要求信号が発生される。
【００４４】
時刻ｔ１におけるノブイベント１に対して、表示データの表示を１つだけ進める（例えばロールアップする）処理が開始され、１００ｍｓｅｃ後の時刻ｔ２でディスプレイ１７に表示データ２と表示データ３が表示される。ところが、時刻ｔ１から時刻ｔ２までの間はノブイベント１に対する処理が実行中であるため、その間に発生したノブイベント２および３は受け付けられず無視される。
【００４５】
次に、時刻ｔ２において表示データ２および表示データ３の表示が完了すると、次のノブイベントを受け付けることができる状態になるので、ノブイベント４が受け付けられ、ノブイベント４に対して、表示データの表示を１つだけ進める処理が開始され、１００ｍｓｅｃ後にディスプレイ１７に表示データ３と表示データ４が表示される。以下同様にして、順次表示データの表示が行われ、ノブ１１の操作が完了した時点では、ノブイベント１０に対する表示が行われる。この場合、受け付けられたノブイベントは４つであるため、表示データの表示が初期状態から４つだけ進められた表示データ５および表示データ６がディスプレイ１７に表示される。
【００４６】
本来は、１２個の全てのノブイベントが受け付けられて、ノブ１１の操作が完了した時点では、初期状態から１２個だけ進められた表示データ１３および表示データ１４がディスプレイ１７に表示されるべきであるが、上述したように、表示データ５および表示データ６がディスプレイ１７に表示される。従って、ノブ１１を高速で回した割には表示が進まないので、ユーザには追従性が悪いと感じられる。
【００４７】
このような従来のディスク情報表示装置に対し、この発明のディスク情報表示装置は、次のように動作する。初期状態では、図５（ｄ）に示すように、ディスプレイ１７には表示データ１と表示データ２とが表示されているものとする。ノブ１１の操作およびノブイベントの発生は、上述した従来のディスク情報表示装置の場合と同じものとする。
【００４８】
時刻ｔ１におけるノブイベント１に対して、表示データの表示を１つだけ進める（例えばロールアップする）処理が開始され、１００ｍｓｅｃ後の時刻ｔ２でディスプレイ１７に表示データ２と表示データ３が表示される。時刻ｔ１から時刻ｔ２までの間はノブイベント１に対する処理が実行中であるが、その間に発生されたノブイベントの数は表示要求カウント数として蓄積される。この場合、ノブイベント２および３が発生するので、表示要求カウント数は「２」になる。
【００４９】
次に、時刻ｔ２において表示データ２および表示データ３の表示が完了すると、次のノブイベントに対する処理が可能になるので、時刻ｔ１から時刻ｔ２までの間で発生したノブイベントのうちの最後のノブイベント３に対応する表示データ４および表示データ５がディスプレイ１７に表示される。ノブイベント３に対応する表示データ４および表示データ５は、直前に表示された表示データ２および表示データ３を表示要求カウント数「２」だけ進めることにより求められる。
【００５０】
以下同様にして、順次表示データの表示が行われ、ノブ１１の操作が完了した時点では、ノブイベント１２に対する表示が行われる。この場合、処理の対象となったノブイベントは４つであるが、処理の対象とならなかったノブイベントは表示要求カウント数としてカウントされ、この表示要求カウント数だけ表示データの表示が進められる。従って、ノブ１１の操作の途中では表示データの表示を進める処理が行われない場合も発生するが、ノブ１１の操作が完了した時点では、初期状態から１２個だけ進められた表示データ１３および表示データ１４がディスプレイ１７に表示される。
【００５１】
従って、ノブ１１を高速で回しても、ノブ１１の操作が完了した時点では１２個の全てのノブイベントが受け付けられた状態と同じ状態になるので、ユーザには追従性が良好であると感じられる。
【００５２】
以上説明したように、この発明の実施の形態１に係るディスク情報表示装置によれば、操作部１０のノブ１１、キー１２またはリモコン４の操作によって表示要求信号が連続的に発生された場合に、先の表示要求信号に対する表示データをディスク情報取得装置２から取得している間に発生された表示要求信号のうちの最後の表示要求信号に対応する表示データをディスク情報取得装置２から取得し、先の表示要求信号に対する表示データが表示された後にディスプレイ１７に表示させる。
【００５３】
従って、先の表示要求信号に対する表示処理の実行中に次の表示要求信号に対する表示処理が開始されることがないので、表示データを完全な状態で表示させることができる。また、先の表示要求信号に対する表示処理の実行中に次の表示要求信号が出された場合は、その表示要求信号の数を表示要求カウント数としてカウントしておき、先の表示要求信号に対する表示処理が完了したときに、先の表示要求信号に対する表示処理で表示された表示データから表示要求カウント数だけ進んだ表示データが表示されるので、操作部１０の操作量に対応した表示データが表示されることになり、リアルタイム性が損なわれることはない。その結果、操作部１０の操作に対する表示の追従性が良好になる。
【００５４】
なお、この実施の形態１では、ディスプレイ１７には複数の表示データが表示されるものとして説明したが、ディスプレイ１７に表示される表示データの数は１つであってもよい。
【００５５】
この実施の形態１に係るディスク情報表示装置は、例えば１つの表示データの量が大きい、１度にディスプレイ１７に表示する表示データの数が多いといった表示データの表示処理に長時間を要する場合に特に有効である。
【図面の簡単な説明】
【００５６】
【図１】この発明の実施の形態１に係るディスク情報表示装置の構成を示すブロック図である。
【図２】図１に示すシステムコントローラの機能的な構成を示すブロック図である。
【図３】図２に示す表示要求信号記憶部の動作を示すフローチャートである。
【図４】図２に示す総合制御部の動作を示すフローチャートである。
【図５】この発明の実施の形態１に係るディスク情報表示装置の動作を従来のディスク情報表示装置と比較して説明するためのタイミングチャートである。
【符号の説明】
【００５７】
１  操作・表示装置、２  ディスク情報取得装置（ディスク情報取得手段）、３  スピーカ、４  リモコン、１０  操作部、１１  ノブ、１２  キー、１３  リモコン受光部、１４  システムコントローラ、１５  送受信部、１６  情報表示機器（表示手段）、１７  ディスプレイ、１８  オーディオ出力部、２０  ディスク、２１  信号処理部、２２  サーボ制御部、４１  表示要求信号記憶部、４２  総合制御部、４３  表示データ要求部、４４  表示データ受信部、４５  表示データ制御部。
【図１】
2005339693.tif 000003
【図２】
2005339693.tif 000004
【図３】
2005339693.tif 000005
【図４】
2005339693.tif 000006
【図５】
2005339693.tif 000007